(57)【要約】【課題】多数のテレビジョン受像機を用いて、複数の被写体の位置や順位等を視聴者が瞬時に視覚的に把握できるようにする。【解決手段】被写体の画像を取得し、この被写体の画像を、複数の表示部の内の被写体の順位に対応する表示部に表示させる。このように、被写体の画像を、複数の表示部のうちの当該被写体の順位に応じた表示部に表示するようにする。【選択図】図７
2009165035.tif 000002
【特許請求の範囲】
【請求項１】
被写体の画像を取得する画像取得部と、
前記被写体の画像を、複数の表示部の内の前記被写体の順位に対応する表示部に表示させる表示制御部と
を含むことを特徴とする表示制御装置。
【請求項２】
前記表示制御部は、前記被写体の順位を決定するための情報に基づいて、前記被写体の順位と前記表示部を対応づけたテーブルを作成し、前記テーブルの内容に基づいて前記被写体の画像を前記表示部に表示させる
ことを特徴とする請求項１に記載の表示制御装置。
【請求項３】
前記被写体の順位を決定するための情報を取得する順位情報取得部と、
前記情報取得部で取得した前記被写体の順位を決定するための情報に基づいて前記順位を決定する順位決定部と、をさらに含む
ことを特徴とする請求項２に記載の表示制御装置。
【請求項４】
前記被写体の順位を決定するための情報は、前記被写体の位置を表した位置情報であり、前記順位決定部は、前記被写体の位置情報と他の被写体の位置情報とから当該被写体の順位を決定する
ことを特徴とする請求項３に記載の表示制御装置。
【請求項５】
前記被写体の画像を記録する記録部、をさらに含み、
前記表示制御部は、前記表示部に表示されている画像に所定の変更が検出された場合、前記被写体の現在の画像に替えて、前記記録部に記録されている前記被写体の過去の画像を前記表示部に表示させる
ことを特徴とする請求項４に記載の表示制御装置。
【請求項６】
前記記録部に前記被写体の過去の画像が記録されていない場合、前記表示制御部は、前記表示部に前記被写体と異なる画像を表示させる
ことを特徴とする請求項５に記載の表示制御装置。
【請求項７】
前記表示制御部は、設定された所定順位の被写体の画像として動画を対応する表示部に表示させる
ことを特徴とする請求項６に記載の表示制御装置。
【請求項８】
前記表示制御部から送られる画像を表示する複数の表示部、をさらに含む
ことを特徴とする請求項７に記載の表示制御装置。
【請求項９】
被写体の画像を取得するステップと、
前記被写体の画像を、複数の表示部の内の前記被写体の順位に対応する表示部に表示させるステップと
を含むことを特徴とする表示制御方法。
【請求項１０】
被写体の画像を取得するステップと、
前記被写体の画像を、複数の表示部の内の前記被写体の順位に対応する表示部に表示させるステップと
をコンピュータに実行させるためのプログラム。
【請求項１１】
被写体の画像を取得するステップと、
前記被写体の画像を、複数の表示部の内の前記被写体の順位に対応する表示部に表示させるステップと
をコンピュータに実行させるためのプログラムを記録したコンピュータ読み取り可能な記録媒体。
【発明の詳細な説明】
【技術分野】
【０００１】
本発明は、被写体の順位に応じて複数の表示部の内の所定の表示部に対する表示内容を並び替えるのに好適な表示制御装置、方法、プログラムおよび記録媒体に関する。
【背景技術】
【０００２】
従来、テレビジョン受像機においては、テレビジョン放送信号が受信され、テレビジョン放送番組としての画像が画面に表示されるとともに、その画像に付随する音声がスピーカから出力される。このように、従来のテレビジョン受像機は単体で動作することを前提とするものである。
【０００３】
このように、従来、テレビジョン受像機は単体で使用することが多く、テレビジョン放送の形態が限定されてしまっていた。そこで、本出願人は先に出願した特許文献１において、多数のテレビジョン受像機を接続して使用し、単体で使用する場合よりも高機能を実現できる表示装置を提案した。このように多数のテレビジョン受像機がつながっている場合、スポーツの中継放送などのテレビジョン放送の表現の幅が広がる。
【特許文献１】特開２００３−１９８９７２号公報
【発明の開示】
【発明が解決しようとする課題】
【０００４】
しかし、例えば、駅伝競争やゴルフなど、常に人物等の被写体が移動するようなスポーツの場合、視覚的にどの場所（順位、順番）にその人物が存在しているかが認識しにくかった。
【０００５】
例えば、野球の中継放送において守備につく選手にズームがあたる場合、その選手に対して無知な視聴者はその選手が実世界のどの位置を守っているのかが分からない。また、ゴルフの中継放送においては、表示されている選手が何番ホールを回っているのかがわからないことがある。あるいは駅伝競争やマラソン、カーレースにおいては現在の表示されている選手が何番目を走っているのかを示す情報は、たまにしか得られなかった。たまに得られたとしても、画面に表示されている内容とはリンクしていない、言い換えれば映像が無くともそれだけで分かるテロップ情報からでしか認識できなかった。
【０００６】
このようにスポーツ等の中継放送において、その人がどの位置にいるか、または、どの順位にいるかなどの情報は、これまで放送局が映像にテロップ等の負荷情報として流すかもしくはナレータからの情報を加えるしか手段がなく、一瞥して認識することが難しかった。
【０００７】
本発明は、このような状況に鑑みてなされたものであり、例えば多数のテレビジョン受像機がつながっている場合に、その多数のテレビジョン受像機を用いて、複数の被写体の位置や順位等を視聴者が瞬時に視覚的に把握できるようにすることを目的とする。
【課題を解決するための手段】
【０００８】
本発明の一側面の表示制御装置は、被写体の画像を取得する画像取得部と、前記被写体の画像を、複数の表示部の内の前記被写体の順位に対応する表示部に表示させる表示制御部とを含むことを特徴とする。
【０００９】
本発明の一側面の表示制御方法およびプログラムは、被写体の画像を取得するステップと、前記被写体の画像を、複数の表示部の内の前記被写体の順位に対応する表示部に表示させるステップとを含むことを特徴とする。
【００１０】
本発明の一側面においては、被写体の画像を、複数の表示部のうちの当該被写体の順位に応じた表示部に表示する。
【発明の効果】
【００１１】
本発明の一側面によれば、複数の被写体の位置や順位等を視聴者が瞬時に視覚的に把握することができる。
【発明を実施するための最良の形態】
【００１２】
以下、本発明の一実施の形態の例について、添付図面を参照しながら説明する。
【００１３】
以下に述べる実施の形態は、本発明を実施するための好適な形態の具体例であるから、技術的に好ましい種々の限定が付されている。ただし、本発明は、以下の実施の形態の説明において特に本発明を限定する旨の記載がない限り、これらの実施の形態に限られるものではない。したがって、例えば、以下の説明で挙げる使用材料とその使用量、処理時間、処理順序および各パラメータの数値的条件等は好適例に過ぎず、説明に用いた各図における寸法、形状および配置関係等も一例を示す概略的なものである。
【００１４】
図１は、本発明の一実施の形態において、テレビジョン放送番組を表示するのに使用されるスケーラブル・テレビジョン・システム（以下、「スケーラブルＴＶシステム」という。）の構成例を示す斜視図である。
【００１５】
スケーラブルＴＶシステムとは、複数のテレビジョン受像機（モニタ）を必要に応じて連携して動作させ、１枚の画像や複数の画像を様々な方法で表示させるシステムである。図１に示すスケーラブルＴＶシステム１は、例えばテレビジョン受像機１１〜１９がアレイ状（行列状）に配置される。この例では、テレビジョン受像機１１〜１９は、３行×３列のアレイ状に配置されている。図示を省略するが、テレビジョン受像機１１〜１９は、有線または無線により、互いに（電気的に）接続されており、それぞれが単独で動作することも、他のテレビジョン受像機と連携して動作することもできる。
【００１６】
また正面の所定の位置には、リモートコントーラ装置（以下、「リモコン装置」という。）３からの赤外線信号または無線信号等によるリモコン信号（制御信号、制御コマンド）を受信する、リモコン信号受信部２が設けられている。なお、スケーラブルＴＶシステム１の本体に設けられた図示しない操作ボタン等を、ユーザ４が操作することにより制御信号を発生するようにしてもよい。なお、本実施の形態のスケーラブルＴＶシステムにおいては、スピーカに、フラットパネルスピーカまたはコーン型のスピーカなどが適用される。
【００１７】
以下、中継放送としてマラソンの中継放送を例にとり、本発明の一実施の形態について説明を行う。
【００１８】
図２は、スケーラブルＴＶシステムを利用したマラソンランナー（以下、単に「ランナー」という。）のリアルタイム順序確認システムの概要を示す図である。
【００１９】
本実施の形態によるリアルタイム順序確認システムは、スケーラブルＴＶシステム１と、放送システム５と、位置センサ７と、カメラ（ビデオカメラまたはカムコーダ）６を含むようにして構成される。
【００２０】
位置センサ６は、各ランナーに装着され、ランナーの現在位置を把握するための情報、すなわちランナーの順位を決定するための情報を、放送局が運用する放送システム５に供給する。位置センサ６は、例えばＧＰＳ（Global Positioning System）センサが適用され、現在地の緯度および経度の情報を図示しない中継装置を経由してまたは直接、放送システム５へ送信する。ＧＰＳセンサはランナーが身に付けて走ることから小型のものがよく、その場合、一般にＧＰＳセンサから発信する電波は微弱になるので、マラソンコースに沿って所定の位置に複数の中継装置を設置し、中継装置がＧＰＳセンサから受信した電波を放送システム５へ中継するようにしてもよい。
【００２１】
あるいは、位置センサ６に無線ＩＣ（Integrated Circuit）チップ（いわゆるＩＣタグ）を用いてもよい。この場合、例えばマラソンコースに沿って所定の位置に複数のＩＣセンサを設置する。無線ＩＣチップを身に付けたランナーが各ＩＣセンサの近くを走り抜けるごとにその情報を放送システム５へ送信し、ランナーの通過情報とＩＣセンサの設置場所からランナーの位置を把握するようにしてもよい。
【００２２】
カメラ７は、マラソンに出場しているランナーを被写体として撮影するものであり、撮影には複数台のカメラが使用される。撮影した画像（映像信号）は、無線などを利用して直接あるいは中継機を経由して放送システム５に供給される。なお、カメラ６にも位置センサが取付けられ、カメラ６自身の位置情報が放送システム５に送信される。
【００２３】
放送システム５は、カメラ７から送信された画像を、位置センサ６からの情報に基づいて自動で順番に並び替えるものである。この放送システム５は、放送局の施設内に設けられる。または放送中継車内に設けてもよい。この放送システム５で編集された番組内容がリアルタイムで放送される。
【００２４】
視聴者が所有するテレビジョン受像機、例えばスケーラブルＴＶシステム１は、中継基地局８等を介して、放送システム５から放送された番組内容を乗せた電波を受信してその内容（画像）を表示する。このようにして、視聴者は、画面に表示された画像を見て、ランナーの順序をリアルタイムに確認することができる。
【００２５】
図３は、ランナー（被写体）とカメラの位置関係を示したものである。
図３において、移動区間ｐ１，ｐ２の間に、９人の被写体ｍ１〜ｍ９が走っている。その場合、被写体を映すカメラ７は、移動手段２１に乗せられて例えば位置ｃ１〜ｃ４を移動する。このような状況の場合に、本発明の表示制御装置の一実施の形態であるスケーラブルＴＶシステム１を使用すると、ランナーがどのように表示されるかを以下に説明する。
【００２６】
図４は、スケーラブルＴＶシステム１の各モニタ（テレビジョン受像機）と表示される被写体の順位との関係の一例を示した図である。この例では、中央モニタに１位の被写体を表示するように設定したとき、周辺に沿って螺旋状に２位以下の後方順位が表示されるようになっている。すなわち、モニタ１１〜１９に対する１位〜９位の序列は、中段中央、中段左、上段左、上段中央、上段右、中段右、下段右、下段中央、下段左の順である。なお、序列の１番に設定するモニタは、上段左や上段右などでもよく、また、右回りとしているが左回りでもよいことは勿論である。
【００２７】
図５は、スケーラブルＴＶシステム１の各モニタと表示される被写体の順位との他の関係の例を示した図である。この例では、上段左のモニタに１位の被写体を表示するように設定したとき、横方向に向かって２位以下の後方順位が表示される。すなわち、モニタ１１〜１９に対する１位〜９位の序列は、上段左、上段中央、上段右、中段右、中段中央、中段左、下段左、下段中央、下段右の順である。なお、序列の１番に設定するモニタは、上段右などでもよいことは勿論である。
【００２８】
図６は、被写体よりモニタの数が少ない場合、例えば３台のモニタと表示される被写体の順位との関係を示した図である。この例は、左端のモニタを１位の被写体、中央のモニタに２位の被写体、残り（右端）のモニタに３位以下の後方順位の被写体が表示されるように設定した場合である。なお、序列の１番に設定するモニタは、中央や右端でもよい。
【００２９】
次に、モニタが図４に示す順位設定である場合について中継放送の様子とモニタ表示の様子を説明する。
【００３０】
図７は、マラソンの中継放送の状況と各モニタの表示例を示す図であり、（ａ）は中継放送の状況、（ｂ）は各モニタへの表示例である。
【００３１】
図７（ａ）において、自動車２１−１に搭載されたカメラ７−１とバイク２１−２に搭載されたカメラ７−２の２台のカメラを使用して、被写体ｍ１〜ｍ９を撮影する。自動車２１−１とバイク２１−２は、移動区間ｐ１，ｐ２の間を自由に移動することができる。現在は自動車２１−１に搭載されたカメラ７−１によって、被写体ｍ５が撮影されている状況である。この現在中継されているカメラ７−１の映像は、撮影対象の被写体ｍ５の順位に対応する序列のモニタ１３に動画で表示される。
【００３２】
中継放送の中継対象の切り替えが可能である場合、過去に中継された被写体は、その順番に対応するモニタに静止画、もしくは当該被写体の蓄積された映像のループが表示される。この例では、過去に中継された被写体ｍ１，ｍ３，ｍ８について、その順位に応じてそれぞれ対応するモニタ１５，１１，１３，１８に当該被写体の静止画が表示されている。このようにすることにより、中継中でない被写体について順位を把握することができる。
【００３３】
さらに、過去に中継されていない被写体に対応するモニタには、過去に風景を撮影した映像や、通過タイムなどが表示可能である。この例では、モニタ１２，１６にそれぞれ富士山および初日の出の様子が表示されている。また、モニタ１７に、各被写体が例えば計測ポイントｐ１を通過したときのタイムが表示されている。このようにすることにより、対象被写体に関して表すべきソース（情報）がない場合でも、視聴者を飽きさせないようにする工夫が可能になる。また、空いたモニタ（ソースのない被写体）を使用してタイム表示するなどして、刻一刻と変化する競技の状況をデータの側面から補足することができる。
【００３４】
なお、図７に示す例では、各モニタの左上付近に当該モニタの対応する被写体の順位が記載されているが、これはモニタには表示されない。しかし、設定を変更してこれらの順位を各モニタに表示するようにしてもよい。このようにした場合、順位に対応するモニタに被写体の映像を写すだけでなく、順位が文字表示されるので視聴者が順位を混同することなく、容易かつ確実に順位を把握できる。
【００３５】
図８は、マラソンの中継放送の状況と各モニタの表示例を示す図であり、（ａ）は中継放送の状況、（ｂ）は中継画面以外は過去のフレームの静止画表示の例である。
【００３６】
図８（ａ）において、現在は自動車２１−１に搭載されたカメラ７−１によって、被写体ｍ１が撮影されている状況である。この中継されているカメラ７−１の現在の映像は、撮影対象の被写体ｍ１の順位に対応する序列のモニタ１５に表示され、その他は過去の被写体の順位と対応するモニタにそれぞれ、静止画もしくは蓄積動画のループが表示される。
【００３７】
ここで、図８の現在中継放送されていない場所で、被写体（ランナー）の順位が入れ替わった場合について説明する。
【００３８】
図９は、マラソンの中継放送の状況と各モニタの表示例を示す図であり、（ａ）は中継放送の状況、（ｂ）は選手順位入れ替わり時の表示例である。
【００３９】
図９（ａ）において、当初被写体ｍ６よりも前を走っていた被写体ｍ５が、被写体ｍ６よりも後方に下がった場合、各順位に対応するモニタの表示内容を変更する。つまり、序列５番のモニタ１３に映っていた被写体ｍ５の映像（図８（ｂ）参照）が序列６番のモニタ１６に、モニタ１６に映っていた被写体ｍ６の映像（図８（ｂ））がモニタ１３に入れ替わる。このとき、中継放送の対象は被写体ｍ１なので、序列１番のモニタ１５に被写体ｍ１を撮影した動画が表示され、その他のモニタには各被写体の静止画が表示される。
【００４０】
上述のように、現時点で中継放送されている映像だけでなく、過去の映像を利用すること、また、位置センサを取り付けられた被写体についての位置情報を利用することにより、視聴者は複数のモニタから構成したシステムにおいて各被写体の順序を一瞥できる。
【００４１】
次に、このような放送を実現する放送システムの電気的構成について説明する。図１０に、本実施の形態による放送システムの内部構成例を示すブロック図を示す。
【００４２】
放送システム５は、位置センサ３１−１〜３１−３からの位置情報およびカメラ７−１〜７−３からの画像（映像信号）が入力される制御部３０と、複数のディスプレイ４２−１〜４２−３と、複数のスピーカ４３−１〜４３−３と、通信部４４と、アンテナ４５と、メモリインターフェース（メモリＩ／Ｆ）４６を含むようにして構成される。なお、上記複数のディスプレイ４２−１〜４２−３は、スケーラブルＴＶシステム１のようにマルチディスプレイとする。また、複数のスピーカ４３−１〜４３−３は、複数のディスプレイ４２−１〜４２−３に対応して設けられる。
【００４３】
位置センサ３１−１〜３１−３は、上述した位置センサ６（図２参照）と同種であり、各被写体（対象物）に取り付けられて各被写体の現在の位置を表す情報である位置情報を検出し、その検出結果を送信する。この位置センサ３１−１〜３から送信された位置情報を、放送システム５の位置情報処理部３２が受信する。なお、カメラ７−１〜７−３も位置情報を送信する機能を有している。
【００４４】
カメラ７−１〜７−３は、被写体を撮影した画像（映像信号）、音声（音声信号）、位置情報等の情報が含まれる。例えば映像信号は図示しないインタフェースを介して制御部３０の画像セレクタ３３に、音声信号は同様に制御部３０の音声セレクタ３４に、位置情報は同様に制御部３０の位置情報処理部３２に出力される。カメラの台数は任意である。
【００４５】
制御部３０は、位置センサ３１−１〜３１−３およびカメラ７−１〜７−３より得られる被写体の位置情報、映像信号および音声信号を含む入力信号から、リモコン装置３（図１参照）などからのユーザコマンドなどに基づいて出力用の映像信号や音声信号を生成し、それらを出力するディスプレイ（モニタ）やスピーカを選択し、その選択先に各信号を出力する。このような処理を行うために、制御部３０は、位置情報処理部３２と、画像セレクタ３３と、音声セレクタ３４と、蓄積処理部３５と、複数の蓄積系ディスク３６−１〜３６−３と、不揮発性メモリ３７−１〜３７−３と、表示処理部３８と、音声処理部３９と、送信ｃｈ選択部と、符号化部４１を含むようにして構成される。
【００４６】
位置情報処理部３２は、各被写体に装着された位置センサ６（図２参照）から位置情報を取得し、複数の位置情報から始点と終点を検出するなどして位置センサ６すなわち被写体の順位を決定する。この順位情報については、放送以前において編集者が各カメラから送られる映像に基づいて被写体の位置を順位に変換し、その順位を放送波に乗せて送信してもよい。またカメラ７−１〜７−３の順位も同様に決定する。また、位置センサ３１−１〜３１−３からの位置情報とカメラ７−１〜７−３からの位置情報によって、各被写体と各カメラとの距離関係を知ることができる。この各被写体と各カメラとの距離に関する情報は、放送以前において被写体とカメラの位置関係を映像などを基に編集者が決定づけてもよい。位置情報処理部３２は、入力される位置情報に基づいて処理した結果を、適宜、蓄積処理部３５および表示処理部３８に出力する。なお、位置情報処理部３２から出力される情報は、各被写体と各カメラとの距離に応じて変わる。
【００４７】
画像セレクタ３３は、カメラ７−１〜７−３より得られる映像信号から、ユーザコマンドによる制御信号などに基づいて、映像信号を選択するとともに表示するディスプレイを選択し、表示処理部３８に出力する。このように、どのディスプレイにどの順番の画像を出力するかは画像セレクタ３３によって任意で切り替えられる。例えば、図４〜６に様々な表示順序パターンを示したが、このように入力信号があらゆる画面（ディスプレイ）に配置される。また、画像セレクタ３３は、蓄積処理部３５に対して適宜映像信号を出力する。
【００４８】
音声セレクタ３４も上述した画像セレクタ３３とほぼ同様の機能を備える。カメラ７−１〜７−３より映像信号とともに入力された音声信号から、ユーザコマンドによる制御信号、または、位置情報処理部３２により発生される制御信号などに基づいて、音声信号を選択するとともに表示するスピーカを選択し、音声処理部３９に出力する。このように、どのスピーカにどの順番の音声を出力するかは音声セレクタ３４によって任意で切り替えられる。また、音声セレクタ３４は、蓄積処理部３５に対して適宜音声信号を出力する。
【００４９】
蓄積処理部３５は、被写体とカメラの距離関係から、あるカメラが撮影を担当していた被写体が他の被写体に移ったと判定すると、その一つ前に撮影した映像を静止画像として記録する処理を行う。この映像および該映像とともに記録した音声は、過去のものとして、蓄積系ディスク３６−１〜３６−３や不揮発性メモリ３７−１〜３７−３に保存される。
【００５０】
蓄積系ディスク３６−１〜３６−３は、例えば、ハードディスク等の不揮発性の大容量の記録装置からなる。また、不揮発性メモリ３７−１〜３７−３は、半導体メモリ等の不揮発性のメモリから構成される。蓄積系ディスク３６−１〜３６−３、および、不揮発性メモリ３７−１〜３７−３は、それぞれ一つでもよいが、例えば、カメラの台数に合わせて用意してカメラ毎に映像を分けて保存するようにすると、編集作業などにおける利便性が向上する。
【００５１】
表示処理部３８は、画像セレクタ３３から入力される映像に対し所定の処理を施したり、ユーザコマンドにより現在中継されていないときの映像を様々な形態（例えば静止画）で出力する処理を行う。例えば、被写体や風景の静止画像、ある秒数の繰り返し映像、またはフレームを間引いた映像である。また、中継中でなくカメラに映っていないモニタにおいて順番に変動があった場合など、動画でない映像の順序入れ替え、または、どのような映像を出力するかに応じて蓄積系ディスク３６−１〜３６−３または不揮発性メモリ３７−１〜３７−３から映像を選択する。この選択肢は、ユーザコマンドに基づいてもよく、静止画を出力するのか動画をループ（繰り返し表示）させるのかなどが選択される。
【００５２】
音声処理部３９は、音声セレクタ３４から入力される音声に対し所定の音声処理、および、蓄積系ディスク３６−１〜３６−３に保存された音声を、映像に同期させ再生を行う。また、中継中でなくカメラに映っていないモニタにおいて順番に変動があった場合など、どのような音声を出力するかに応じて、蓄積系ディスク３６−１〜３６−３または不揮発性メモリ３７−１〜３７−３から音声を選択する。この選択肢は、ユーザコマンドに基づいてもよく、並行して出力する映像の種類、例えば静止画なのか動画をループ（繰り返し表示）させるのかなどにより音声が選択される。
【００５３】
これらの処理が終了すると、各出力部すなわちディスプレイ４２−１〜４２−３およびスピーカ４３−１〜４３−３に、映像および音声をそれぞれ出力する。
【００５４】
また、符号化部４１は、表示処理部３８から出力される映像信号および音声処理部３９から出力される音声信号を、所定の符号化方式により符号化処理して通信部４４に出力され、放送用に変調処理および信号処理等が行われた後、アンテナ４５より公共の電波を通じて送信される。また、符号化部４１は、映像信号および音声信号を所定の符号化方式により符号化処理した後、適宜、メモリＩ／Ｆ４６に出力する。符号化方式としては、ＭＰＥＧ方式などが挙げられるが、この例に限られない。符号化部４６で符号化された映像信号および音声信号は、メモリＩ／Ｆ４６を介してリムーバブルメディア４７に記録される。
【００５５】
このとき、どのチャンネル（カメラ）の映像を保存するか、または、どのチャネル（カメラ）の映像を電波に乗せるかの選択は、ユーザ（編集者）により選択され、リモコン装置３などからのユーザコマンドを受信した送信チャンネル（ｃｈ）選択部４０より、表示処理部３８および音声処理部３９に対して指示が出される仕組みとなっている。
【００５６】
次に、放送電波を受信するスケーラブルＴＶシステムの電気的構成について説明する。図１１に、本実施の形態によるスケーラブルＴＶシステムの内部構成例を示すブロック図を示す。
【００５７】
スケーラブルＴＶシステム１は、複数のチューナ５１−１〜５１−３と、複数の記録媒体５２−１〜５２−３と、制御部５０と、複数のディスプレイ６３−１〜６３−３と、複数のスピーカ６４−１〜６４−３と、メモリインターフェース（メモリＩ／Ｆ）６５を含むようにして構成される。なお、チューナ、記録媒体、ディスプレイ並びにスピーカの数はこの例に限られるものではない。
【００５８】
チューナ５１−１〜５１−３は、例えばシステムに設置されたテレビジョン受像機に対応して設置され、放送システム５より受信したテレビジョン信号から任意のチャンネルの映像信号、音声信号並びに位置情報を抽出する。この位置情報とは、ＧＰＳ等の位置を検出する手段（位置センサ）により得られた中継カメラの位置や被写体の位置の情報（図７〜図９参照）であり、編集者が位置の情報を順序変換した情報等も含む。このチューナ５１−１〜５１−３は、特許請求の範囲に記載された画像取得部の一例である。
【００５９】
記録媒体５２−１〜５２−３は、映像信号および音声信号を含むビデオデータを記録するものであり、ハードディスクドライブなどの他、着脱可能なリムーバブルメディアでもよい。この記録媒体５２−１〜５２−３は、特許請求の範囲に記載された画像取得部の一例である。
【００６０】
このスケーラブルＴＶシステム１において、制御部５０には、映像信号および音声信号の入力先として、チューナ５１−１〜５１−３および記録媒体５２−１〜５２−３が接続されている。チューナ５１−１〜５１−３は、テレビジョン信号等の映像信号および音声信号、および、位置情報または（被写体の）画像の順序関連情報を制御部５０に供給する。また、制御部５０には、映像信号の出力先としてディスプレイ６３−１〜６３−３が接続されている。また、制御部５０には、音声信号の出力先として、例えば本出願人が提出した特開２００７−５３６１０号公報（フラットパネルスピーカ）やテレビジョン受像機の周辺に並べられたスピーカが接続される。
【００６１】
制御部５０には、チューナ５１−１〜５１−３または記録媒体５２−１〜５２−３により得られる映像信号、音声信号および位置情報を含む入力信号から、ユーザコマンドまたは映像・音声出力ディスプレイ情報（出力先機器の仕様）等に基づいて出力用の映像信号や音声信号を生成する。そして、それらを出力するディスプレイやスピーカを選択し、その選択先に各信号を出力する。このような処理を行うために、制御部５０は、位置情報処理部５３、画像セレクタ５４、音声セレクタ５５、検出処理部５６、蓄積処理部５７、蓄積系ディスク５８、不揮発性メモリ５９、表示処理部６０、音声処理部６１、符号化部６２を含むようにして構成される。
【００６２】
位置情報処理部５３は、特許請求の範囲に記載された順位情報取得部、順位決定部の一例である。例えば、位置情報処理部５３は、ＧＰＳ等を利用して各被写体に装着された位置センサ６（図２参照）から位置情報を取得し、複数の位置情報から各始点と各終点を検出して順位を決定する。この順位情報については、放送以前において編集者が各カメラから送られる映像に基づいて被写体の位置を順位に変換し、その順位を放送波に乗せて送信したものを受信してもよい。またカメラの順位も同様に決定する。また、各被写体の位置情報と各カメラの位置情報によって、各被写体と各カメラとの距離関係を知ることができる。この各被写体と各カメラとの距離に関する情報は、放送以前において被写体とカメラの位置関係を映像などを基に編集者が決定づけてもよい。位置情報処理部５３は、入力される位置情報に基づいて処理した結果を、適宜、検出処理部５６に出力する。
【００６３】
画像セレクタ５４は、チューナ５１−１〜５１−３や記録媒体５２−１〜５２−３により得られる映像信号や位置情報から、ユーザコマンドによる制御信号や映像出力ディスプレイ情報などに基づいて、映像信号を選択するとともに表示するディスプレイを選択し、検出処理部５６に出力する。例えば、図４〜６に様々な表示順序パターンを示したが、このように入力信号があらゆる画面（ディスプレイ）に配置される。また、画像セレクタ５４は、蓄積処理部５７に対して適宜映像信号を出力する。
【００６４】
音声セレクタ５５も上述した画像セレクタ５４とほぼ同様の機能を備える。チューナ５１−１〜５１−３や記録媒体５２−１〜５２−３より映像信号とともに入力された音声信号から、ユーザコマンドによる制御信号などに基づいて、音声信号を選択するとともに表示するスピーカを選択し、音声処理部６１に出力する。また、音声セレクタ５５は、蓄積処理部５７に対して適宜音声信号を出力する。
【００６５】
検出処理部５６は、位置情報処理部５３から入力される位置情報処理結果に基づいて、入力された映像のシーンチェンジの検出を行い、そのシーンチェンジの検出結果に応じて蓄積処理部５７を制御する。シーンチェンジは順位の入れ替わりなど映像の内容に所定の変更があることを言い、シーンチェンジ検出処理に関しては、例えば本出願人が提出した特開２００３−２６４９００号公報（音響提示システムと音響取得装置と音響再生装置及びその方法並びにコンピュータ読み取り可能な記録媒体と音響提示プログラム）を参考にされたい。
【００６６】
蓄積処理部５７は、例えば、検出処理部５６によりシーンチェンジが行われたと判断された場合、シーンチェンジが行われる前の映像を静止画像として記録し、また静止画の他にシーンチェンジ以前の動画を映像として記録するための処理を行う。この映像および該映像とともに記録した音声は、過去のものとして、蓄積系ディスク５８−１〜５８−３や不揮発性メモリ５９−１〜５９−３に保存される。
【００６７】
蓄積系ディスク５８−１〜５８−３は、例えば、ハードディスク等の不揮発性の大容量の記録装置からなる。また、不揮発性メモリ５９−１〜５９−３は、半導体メモリ等の不揮発性のメモリから構成される。蓄積系ディスク５８−１〜５８−３、および、不揮発性メモリ５９−１〜５９−３は、それぞれ一つでもよいが、例えば、放送チャンネルの台数に合わせて用意してカメラ毎に映像を分けて保存するようにすると、利便性が向上する。
【００６８】
表示処理部６０は、検出処理部５６から入力される映像に対し所定の処理を施したり、ユーザコマンドにより現在中継されていないときの映像を様々な形態（例えば静止画など）で出力する処理を行う。例えば、被写体や風景の静止画像、ある秒数の繰り返し映像、またはフレームを間引いた映像である。また、中継中でなくカメラに映っていないモニタにおいて順番に変動があった場合など、動画でない映像の順序入れ替え、または、どのような映像を出力するかに応じて蓄積系ディスク５８−１〜５８−３または不揮発性メモリ５９−１〜５９−３から映像を選択する。この選択肢は、ユーザコマンドに基づいてもよく、静止画を出力するのか動画をループ（繰り返し表示）させるのかなどが選択される。
【００６９】
音声処理部６１は、音声セレクタ５５から入力される音声に対し所定の処理、および、蓄積系ディスク５８−１〜５８−３に保存された音声を映像に同期をさせて再生する処理を行う。その他、音声処理部６１はアラーム信号を生成する。例えば現在、中継中ではないモニタにおいて、順位変動が行われた場合、そのモニタの序列に応じたアラームを鳴らすことができる。
【００７０】
これら表示処理部６０および音声処理部６１に対する制御コマンドに関して、図１２に示されるようなコマンドテーブルが、不揮発メモリ５９−１〜５９−３に蓄積され、被写体の順位の入れ替えがある度にその都度、登録情報が更新される。このコマンドテーブルは、各モニタに対する被写体の情報をリンクさせている。例えば、対象モニタに現在中継中の映像が映っているのか、そのときの選手のＩＤや、被写体の順位やどの映像が利用中かなどの情報が登録される。
【００７１】
図１２は、図８（ｂ）に示したモニタの表示例に対応するコマンドテーブルである。
このコマンドテーブルは、各モニタに割り振られた「ＴＶＩＤ」（項目ａ）、中継中の画像か否かを示す「中継」フラグ（項目ｂ）、被写体の「選手ＩＤ」（項目ｃ）、モニタに表示される映像の「映像番号」（項目ｄ）、被写体の「順位」（項目ｅ）に関する情報が登録されている。なお、このコマンドテーブルに登録される情報は一例であって、この例に限られない。
【００７２】
図１３は、図１２に示したコマンドテーブルに基づく画面配置例を示す図である。
図１２におけるコマンドテーブルの枠で囲まれたＴＶＩＤ：１０１を含むレコード（行）は「中継」フィールドのフラグが１であり、これは図１３において枠で囲まれた中段中央の中継画面に対応していることが理解できる。つまり、現在中継中の画像を表示しているモニタ（中央中段）がＴＶＩＤ：１０１であり、そこでは選手ＩＤ：１００１が現在順位１位の選手であり、その選手の映像には映像番号１０００１が付与されている。
【００７３】
続いて、選手の順位に入れ替えがあった場合、コマンドテーブル内の情報がどのように更新されるかを説明する。
【００７４】
図１４は、図９（ｂ）に示したモニタの表示例に対応するコマンドテーブルの例を示す図である。
図９（ｂ）は、５位の選手と６位の選手の順位が入れ替わった場合の表示例であり、この場合、コマンドテーブルのＴＶＩＤ：１０５を含むレコードとＴＶＩＤ：１０６を含むレコードとの間で情報の入れ替えが行われる。この例では、コマンドテーブルのＴＶＩＤ：１０５を含むレコードとＴＶＩＤ：１０６を含むレコードにおいて、枠表示された「選手ＩＤ」と「映像番号」の各フィールドの情報を入れ替える。
【００７５】
図１５は、図１４に示した順位入れ替え後のコマンドテーブルに基づく画面配置例を示す図である。
図１５において枠で囲まれた上段右と中段右のモニタの映像の内容は、図１２における上段右と中段右のモニタの映像の内容と入れ替わっている。このようにコマンドテーブルに登録された「選手ＩＤ」や「映像番号」等の情報の順番の入れ替えを行った場合、映像の入れ替えが行われモニタに映る映像の内容が変更される。
【００７６】
次に、図１６のフローチャートを参照して、放送システム５の処理について説明する。
なお、以下の説明においては特に映像の場合について説明するが、映像に付随する音声については当該映像に対する処理と並行して行われ、その詳細な説明は割愛する。
【００７７】
まず、放送システム５を立ち上げる、または、ユーザが図示しないメニュー画面から本実施の形態に係る放送モードの開始を選択することにより、本フローチャートが開始される。
【００７８】
ステップＳ１において、位置情報処理部３２にて位置センサ３１−１〜３１−３およびカメラ７−１〜７−３から被写体およびカメラの位置情報を取得し、処理が終了するとステップＳ２へ進む。
【００７９】
ステップＳ２において、位置情報処理部３２は、被写体の順位の変動などを監視し、前回このモードを利用したときと比較して被写体の順位変動の有無を判定する。ここで、被写体に順位変動がない場合、ステップＳ３の処理に進む。一方、被写体に順位変動がある場合、ステップＳ５の判定処理に進む。
【００８０】
上記ステップＳ２の判定処理で被写体の順位に変動がないと判定された場合、ステップＳ３において、位置情報処理部３２は、対象被写体の画像を表示する位置すなわち表示するモニタを事前に登録してあるモニタに決定し、その旨を蓄積処理部３５および表示処理部３８に通知する。この処理が終了するとステップＳ４に進む。
【００８１】
続いてステップＳ４において、表示処理部３８は、位置情報処理部３２から制御信号を受信し、上記事前に登録されたモニタに、当該被写体の映像または事前に設定した画像を出力する。ステップＳ４の処理を終了後、ステップＳ１の処理に戻って位置情報を取得し、被写体の順位変動を監視する。
【００８２】
上記ステップＳ２の判定処理で被写体の順位に変動があると判定された場合、ステップＳ５において、表示処理部３８は、カメラ７−１〜７−３からの映像と被写体との位置関係から、当該順位変動が生じた被写体を撮影した映像が表示可能かどうかを判定する。
【００８３】
上記ステップＳ５の判定処理で対象被写体の映像を表示可能と判定された場合、ステップＳ６において、表示処理部３８は、対象被写体を撮影しているカメラの映像を画像セレクタ３３から取得して対応モニタへ送り、映像を表示させる。この処理が終了するとステップＳ１０に進む。
【００８４】
上記ステップＳ５の判定処理で対象被写体の映像を表示できないと判定された場合、ステップＳ７において、表示処理部３８は、対象被写体が過去に中継したことのある被写体かどうかを判定する。
【００８５】
上記ステップＳ７の判定処理で対象被写体が過去に中継されていると判定された場合、ステップＳ８において、表示処理部３８は、蓄積系ディスク３６−１〜３６−３の中から対象被写体の過去の映像を読み出して、ディスプレイ４２−１〜４２−３のいずれかへ出力する。この処理が終了するとステップＳ１０に進む。
【００８６】
一方、上記ステップＳ７の判定処理で対象被写体が過去に中継されていないと判定された場合、ステップＳ９において、表示処理部３２は、蓄積系ディスク３６−１〜３６−３の中から対象被写体以外の映像を読み出して、ディスプレイ４２−１〜４２−３のいずれかへ出力する。この処理が終了するとステップＳ１０に進む。
【００８７】
なお、表示処理部３２は、映像をディスプレイへ出力するとともに、適宜、符号化部４１へ出力する。符号化４１へ送られた映像は、所定の符号化処理がなされ、通信部４４を介してアンテナ４５より無線出力される。あるいは、メモリＩ／Ｆ４６を介してリムーバブルメディア４７に記録される。
【００８８】
上記ステップＳ６，Ｓ８，Ｓ９の処理が終了後、ステップＳ１０において、位置情報処理部３２は、位置センサ３１−１〜３１−３およびカメラ７−１〜７−３から取得した位置情報に基づいて、選手など被写体と各カメラとの位置関係を検出する。この処理が終了するとステップＳ１１に進む。
【００８９】
ステップＳ１１において、位置情報処理部３２は、被写体と各カメラとの位置関係から中継中のカメラで映している被写体が変わったと判定されると、蓄積処理部３５に対して今まで映していた映像を蓄積するよう指示する。この処理が終了するとステップＳ１２に進む。一方、中継中のカメラで映している被写体に変化はないと判定された場合、ステップＳ１の処理へ戻って位置情報を取得し、被写体の順位変動を監視する。
【００９０】
上記ステップＳ１１の判定処理で中継中のカメラで映している被写体が変わったと判定された場合、ステップＳ１２において、蓄積処理部３５はこれまで中継していたカメラにより撮影した被写体の映像を、蓄積系ディスク３６−１〜３６−３のいずれかに蓄積する。
【００９１】
ステップＳ１３において、制御部３０は、放送モードの終了を検出したかどうかを判定する。例えば、放送システム５の電源を落とす、または、ユーザが図示しないメニュー画面から本実施の形態に係る放送モードの終了を選択することにより、放送モードが終了する。放送モードの終了を検出した場合、一連の処理を終了する。
【００９２】
一方、放送モードの終了が検出されない場合、ステップＳ１の処理へ戻って位置情報を取得し、被写体の順位変動を監視する。放送モード終了の指示があるまで本フローチャートが続けられる。
【００９３】
次に、図１７のフローチャートを参照して、スケーラブルＴＶシステム１の処理について説明する。
なお、以下の説明においては特に映像の場合について説明するが、映像に付随する音声についても説明を準用する。
【００９４】
まず、スケーラブルＴＶシステム１を立ち上げる、または、ユーザが図示しないメニュー画面から本実施の形態に係るリアルタイム順序確認モードの開始を選択することにより、本フローチャートが開始される。
【００９５】
ステップＳ２１において、チューナ５１−１〜５１−３が放送システム５から受信した放送番組の映像または記録媒体５２−１〜５２−３から映像とともに被写体の順位情報を、位置情報処理部５３により取得する。各被写体の順位情報の代わりに各被写体の位置情報を取得し、その位置情報に基づいて各被写体の順位を算出してもよい。この処理が終了するとステップＳ２２へ進む。
【００９６】
ステップＳ２２において、位置情報処理部５３は、被写体の順位の変動などを監視し、前回このモードを利用したときと比較して被写体の順位変動の有無を判定する。被写体に順位変動がある場合、ステップＳ２３の判定処理に進む。一方、被写体に順位変動がない場合、ステップＳ２１の処理に戻って位置情報を取得し、被写体の順位変動の監視を続ける。
【００９７】
上記ステップＳ２２の判定処理で被写体に順位の変動があると判定された場合、ステップＳ２３において、表示処理部６０は、コマンドテーブル（例えば図１２，１４参照）を参照して順位に変動があった被写体（例えば、順位を上げた選手）を映しているモニタが現在中継中かどうかを判定する。
【００９８】
上記ステップＳ２３の判定処理で対象モニタが現在中継中であると判定された場合、ステップＳ２４において、表示処理部６０は、画像セレクタ５４および検出処理部５６を介して送られる現在中継中の映像を、対応するモニタ（ディスプレイ）に出力する。この処理が終了するとステップＳ２８に進む。
【００９９】
一方、上記ステップＳ２３の判定処理で対応するモニタが現在中継中ではないと判定された場合、ステップＳ２５において、表示処理部６０は、対象被写体が過去に中継したことのある被写体かどうかを判定する。
【０１００】
上記ステップＳ２５の判定処理で対象被写体が過去に中継されていると判定された場合、ステップＳ２６において、表示処理部６０は、蓄積系ディスク５８−１〜５８−３の中から対象被写体の過去の映像を読み出して、ディスプレイ６３−１〜６３−３のいずれかへ出力する。この処理が終了するとステップＳ２８に進む。
【０１０１】
一方、上記ステップＳ２５の判定処理で対象被写体が過去に中継されていないと判定された場合、ステップＳ２７において、表示処理部６０は、蓄積系ディスク５８−１〜５８−３の中から対象被写体以外の映像を読み出して、ディスプレイ６３−１〜６３−３のいずれかへ出力する。この処理が終了するとステップＳ２８に進む。なお、ここで表示する被写体以外の映像は、例えば他の被写体の順位等のテロップ情報などでもよい。
【０１０２】
なお、表示処理部６０は、映像をディスプレイへ出力するとともに、適宜、符号化部６２へ出力する。符号化６２へ送られた映像は、所定の符号化処理がなされ、メモリＩ／Ｆ６５を介してリムーバブルメディア６６に記録される。
【０１０３】
上記ステップＳ６，Ｓ８，Ｓ９の処理が終了後、ステップＳ２８において、検出処理部５６は、画像セレクタ５４から送られる映像についてシーンチェンジの検出処理を行う。この処理が終了するとステップＳ２９に進む。
【０１０４】
ステップＳ２９において、検出処理部５６は、シーンチェンジの有無を判定する。この処理が終了するとステップＳ３０に進む。一方、シーンチェンジはないと判定された場合、ステップＳ１の処理へ戻って位置情報を取得し、被写体の順位変動を監視する。
【０１０５】
上記ステップＳ２９の判定処理でシーンチェンジがあると判定された場合、ステップＳ３０において、蓄積処理部３５はこれまで中継していたカメラにより撮影した被写体の映像を、蓄積系ディスク５８−１〜５８−３のいずれかに蓄積する。
【０１０６】
ステップＳ３１において、制御部５０は、リアルタイム順序確認モードの終了を検出したかどうかを判定する。例えば、スケーラブルＴＶシステム１の電源を落とす、または、ユーザが図示しないメニュー画面から本実施の形態に係る当該モードの終了を選択することにより、当該モードが終了する。当該モードの終了を検出した場合、一連の処理を終了する。
【０１０７】
以上のように、複数台のテレビジョン受像機（モニタ）を用いたスケーラブルＴＶシステムにおいて、競技に参加している各選手（被写体）や被写体を映すカメラなどにＧＰＳ等を利用した位置センサを取付けることにより、該位置センサから得られる位置情報に基づいて被写体およびカメラの現在位置をリアルタイム（即時）に検出することができる。
【０１０８】
そして、位置情報から被写体の順位・順番を検出し、リアルタイムにその被写体の順位・順番に応じて各モニタの表示内容を並び替え、中継中の最新画像、並びに各選手の順位や順番を常に把握することができる。
【０１０９】
さらに、その被写体の順位・順番に応じて、中継中ではないモニタには過去の映像を利用するなどにより順位変動に応じて各モニタの表示内容を並び替えるようにした場合、映像が送られてきていない場合でも瞬時に視覚的に各被写体の順位等を確認することができる。
【０１１０】
このように、本発明による構成により、実世界の被写体の位置関係を複数のモニタを用いてより視認しやすくすることができる。
【０１１１】
なお、上述した実施の形態では、陸上競技例えばマラソンを例に説明したが、これに限られるものではなく、例えば、野球やゴルフなどの他のスポーツに適用することもできる。例えば野球に用いた場合には、ベースおよび選手（被写体）の位置情報を取得し、これらの距離関係から各選手の守備位置もしくは出塁状況などを把握できる。また、ゴルフの場合、各選手がどのコースのどの位置でプレーしているかを複数のモニタで同時に確認することができる。
【０１１２】
さらに、スポーツ以外でもクイズなどに応用することもでき、各解答者と正解数などを対応づけてモニタに表示するなどして、各解答者のクイズの正解状況などを把握できる。
【０１１３】
なお、以上にフローチャートを参照して説明した処理の順番は、一例であり、本発明の本質に関わらない範囲で、処理の順序を入れ替えたり、複数の処理を同時に並列して行うようにしたりしてもよい。
【０１１４】
また、上述した一連の処理は、ハードウェアにより実行させることもできるし、ソフトウェアにより実行させることもできる。また、これらの処理を実行する機能はハードウェアとソフトウェアの組み合わせによっても実現できることは言うまでもない。一連の処理をソフトウェアにより実行させる場合には、そのソフトウェアを構成するプログラムが専用のハードウェアに組み込まれているコンピュータ、または、各種のプログラムをインストールすることで各種の機能を実行することが可能な、例えば汎用のコンピュータなどに、プログラム記録媒体からインストールされる。
【０１１５】
図１８は、上述した一連の処理をプログラムにより実行するコンピュータの構成例を示すブロック図である。このコンピュータ１０１は、例えば一連の処理を実行するために高性能化した専用コンピュータの他、一定の性能を備えるパーソナルコンピュータなど汎用のコンピュータでもよい。
【０１１６】
コンピュータ１０１のＣＰＵ（Central Processing Unit）１１１は、ＲＯＭ（Read Only Memory）１１２、または記録部１１８に記録されているプログラムに従って、上記一連の処理の他、各種の処理を実行する。ＲＡＭ（Random Access Memory）１１３には、ＣＰＵ１１１が実行するプログラムやデータなどが適宜記憶される。これらのＣＰＵ１１１、ＲＯＭ１１２、およびＲＡＭ１１３は、バス１１４により相互に接続されている。
【０１１７】
ＣＰＵ１１１にはまた、バス１１４を介して入出力インタフェース１１５が接続されている。入出力インタフェース１１５には、キーボード、マウス、マイクロホンなどよりなる入力部１１６、ディスプレイ、スピーカなどよりなる出力部１１７が接続されている。ＣＰＵ１１１は、入力部１１６から入力される指令に対応して各種の処理を実行する。そして、ＣＰＵ１１１は、処理の結果を出力部１１７に出力する。
【０１１８】
入出力インタフェース１１５に接続されている記録部１１８は、例えばハードディスクからなり、ＣＰＵ１１１が実行するプログラムや各種のデータを記録する。
【０１１９】
通信部１１９は、インターネットやローカルエリアネットワークなどのネットワークを介して外部の装置と通信する。また通信部１１９を介してプログラムを取得し、記録部１１８に記録してもよい。
【０１２０】
入出力インタフェース１１５に接続されているドライブ１２０は、磁気ディスク、光ディスク、光磁気ディスク、あるいは半導体メモリなどのリムーバブルメディア１３１が装着されたとき、それらを駆動し、そこに記録されているプログラムやデータなどを取得する。取得されたプログラムやデータは、必要に応じて記録部１１８に転送され、記録される。
【０１２１】
コンピュータにインストールされ、コンピュータによって実行可能な状態とされるプログラムを格納するプログラム記録媒体は、図２０に示すように、リムーバブルメディア１３１によりパッケージメディアとして提供される。リムーバブルメディア１３１としては、磁気ディスク（フレキシブルディスクを含む）、光ディスク（ＣＤ−ＲＯＭ（Compact Disc - Read Only Memory），ＤＶＤ（Digital Versatile Disc），光磁気ディスクを含む）、もしくは半導体メモリなどを適用することができる。あるいは、プログラム記録媒体は、プログラムが一時的もしくは永続的に格納（記録）されるＲＯＭ１１２や、記録部１１８を構成するハードディスクなどにより構成される。
【０１２２】
このプログラム記録媒体へのプログラムの格納は、必要に応じてルータ、モデムなどのインタフェースである通信部１１９を介して、ローカルエリアネットワーク(LAN：Local Area Network)、インターネット、デジタル衛星放送といった、有線または無線の通信媒体を利用して行われる。
【０１２３】
なお、本明細書において、プログラム記録媒体に格納されるプログラムを記述する処理ステップは、記載された順序に沿って時系列的に行われる処理はもちろん、必ずしも時系列的に処理されなくとも、並列的あるいは個別に実行される処理（例えば、並列処理あるいはオブジェクトによる処理）をも含むものである。
【０１２４】
また、プログラムは、一つのコンピュータにより処理されるものであってもよいし、複数のコンピュータによって分散処理されるものであってもよい。さらに、プログラムは、遠方のコンピュータに転送されて実行されるものであってもよい。
【０１２５】
その他、本発明は、上述した実施の形態の例に限定されるものではなく、本発明の要旨を逸脱しない範囲において、種々の変形、変更が可能であることは勿論である。
【図面の簡単な説明】
【０１２６】
【図１】スケーラブルＴＶシステムの例を示す模式図である。
【図２】本発明の一実施の形態に係るリアルタイム順序確認システムの概要を示す説明図である。
【図３】被写体とカメラ位置の関係を示す説明図である。
【図４】各モニタと順位の関係（中央を１位とした場合）を示す説明図である。
【図５】各モニタと順位の関係（左上を１位とした場合）を示す説明図である。
【図６】各モニタと順位の関係（被写体よりモニタの数が少ない場合）を示す説明図である。
【図７】中継放送の状況と各モニタの表示例を示す図であり、（ａ）は中継放送の状況、（ｂ）は各モニタへの表示例である。
【図８】中継放送の状況と各モニタの表示例を示す図であり、（ａ）は中継放送の状況、（ｂ）は中継画面以外は過去のフレームの静止画表示の例である。
【図９】中継放送の状況と各モニタの表示例を示す図であり、（ａ）は中継放送の状況、（ｂ）は選手順位入れ替わり時の表示例である。
【図１０】本発明の一実施の形態に係る放送システムの構成例を示すブロック図である。
【図１１】本発明の一実施の形態に係るスケーラブルＴＶシステムの構成例である。
【図１２】本発明の一実施の形態に係る中継放送のデータ関係（コマンドテーブル）を示す図である。
【図１３】図１２に示したコマンドテーブルに基づく画面配列例を示す図である。
【図１４】順位入れ替え時のデータ関係（コマンドテーブル）を示す図である。
【図１５】図１４に示したコマンドテーブルに基づく画面配列例を示す図である。
【図１６】放送システムの処理例を示すフローチャートである。
【図１７】スケーラブルＴＶシステムの処理例である。
【図１８】汎用コンピュータの内部構成例を示すブロック図である。
【符号の説明】
【０１２７】
１…スケーラブルＴＶシステム、５…放送システム、６…位置センサ、７…カメラ、１１〜１９…テレビジョン受像機、３０…制御部、３１…位置センサ、３２…位置情報処理部、３３…画像セレクタ、３４…音声セレクタ、３５…蓄積処理部、３６…蓄積系ディスク、３７…不揮発性メモリ、３８…表示処理部、３９…音声処理部、４０…送信ｃｈ選択部、符号化部４１、４２…ディスプレイ、４３…スピーカ、４４…通信部、５０…制御部、５１…チューナ、５２…記録媒体、５３…位置情報処理部、５４…画像セレクタ、５５…音声セレクタ、５６…検出処理部、５７…蓄積処理部、５８…蓄積系ディスク、５９…不揮発性メモリ、６０…表示処理部、６１…音声処理部、６３…ディスプレイ、６４…スピーカ
【図１】
2009165035.tif 000003
【図２】
2009165035.tif 000004
【図３】
2009165035.tif 000005
【図４】
2009165035.tif 000006
【図５】
2009165035.tif 000007
【図６】
2009165035.tif 000008
【図７】
2009165035.tif 000009
【図８】
2009165035.tif 000010
【図９】
2009165035.tif 000011
【図１０】
2009165035.tif 000012
【図１１】
2009165035.tif 000013
【図１２】
2009165035.tif 000014
【図１３】
2009165035.tif 000015
【図１４】
2009165035.tif 000016
【図１５】
2009165035.tif 000017
【図１６】
2009165035.tif 000018
【図１７】
2009165035.tif 000019
【図１８】
2009165035.tif 000020